(57)【特許請求の範囲】
【請求項１】
焦点調節レンズを含む光学系の焦点調節状態を検出する焦点検出手段と、
前記焦点検出手段により検出された前記焦点調節状態に基づいて前記焦点調節レンズを駆動する制御と、フォーカスプリセット位置まで前記焦点調節レンズを駆動する制御とが可能な制御手段と、
撮影者が前記フォーカスプリセット位置を設定しているときの前記焦点調節レンズの移動位置を移動時間とともに繰り返し検出する検出手段と、
前記検出手段により検出された複数の前記焦点調節レンズの移動位置から前記焦点調節レンズの移動距離を求め、前記焦点調節レンズの移動距離と前記移動時間とに基づいて、前記撮影者が前記フォーカスプリセット位置の設定をしているときに前記焦点調節レンズを動かす速度である第２速度を算出する算出手段と、
前記第２速度を記憶する記憶手段とを含み、
前記制御手段は、前記フォーカスプリセット位置まで前記焦点調節レンズを駆動する制御をするとき、前記記憶手段に記憶された前記第２速度で前記焦点調節レンズを駆動することを特徴とする撮像装置。
【請求項２】
請求項１に記載された撮像装置であって、
前記記憶手段に記憶された前記第２速度は、前記制御手段が前記焦点検出手段により検出された前記焦点調節状態に基づいて前記焦点調節レンズを駆動する速度である第１速度よりも低速であることを特徴とする撮像装置。
【請求項３】
請求項２に記載された撮像装置であって、
第１モード、又は、第２モードを選択可能な選択手段を有し、
前記記憶手段は、前記第１速度及び前記第２速度とは異なる第３速度を記憶しており、
前記制御手段は、前記フォーカスプリセット位置まで前記焦点調節レンズを駆動する制御をする場合において、前記選択手段により前記第１モードが選択されているとき前記記憶手段に記憶された前記第２速度で前記焦点調節レンズを駆動し、
前記選択手段により前記第２モードが選択されているとき前記記憶手段に記憶された前記第３速度で前記焦点調節レンズを駆動することを特徴とする撮像装置。
【請求項４】
請求項３に記載された撮像装置であって、
前記選択手段は、第３モードを選択可能であり、
前記記憶手段は、前記フォーカスプリセット位置の近傍において前記フォーカスプリセット位置の近傍以外の位置よりも低速となる、前記第１速度、前記第２速度及び前記第３速度とは異なる第４速度を記憶しており、
前記制御手段は、前記フォーカスプリセット位置まで前記焦点調節レンズを駆動する制御をする場合において、前記選択手段により前記第３モードが選択されているとき前記記憶手段に記憶された前記第４速度で前記焦点調節レンズを駆動することを特徴とする撮像装置。
【請求項５】
請求項４に記載された撮像装置であって、
前記第３速度及び前記第４速度は、前記第１速度よりも低速であることを特徴とする撮像装置。
【請求項６】
請求項３から５までの何れか１項に記載の撮像装置において、
前記記憶手段は、前記第３速度として、遠景側と近景側とで、異なる速度を有するものを記憶していることを特徴とする撮像装置。
【請求項７】
請求項６に記載の撮像装置において、
前記記憶手段は、前記第３速度として、撮影光学系が望遠レンズである場合に、前記焦点調節レンズを遠景側から近景側に駆動させる際に、遠景側よりも近景側が遅い速度となるような速度を有するものを記憶していることを特徴とする撮像装置。
【発明の詳細な説明】
【技術分野】
【０００１】
この発明は、撮像装置に関するものである。
【背景技術】
【０００２】
従来より、デジタルカメラなどの撮像装置において、ユーザが任意に設定した被写体距離に応じたフォーカスレンズ位置を記憶しておき、ユーザの操作に基づいて、フォーカスレンズを、記憶した位置に自動的に移動させる技術が知られている（たとえば、特許文献１参照）。
【先行技術文献】
【特許文献】
【０００３】
【特許文献１】特開２００６−２２７３０５号公報
【発明の概要】
【発明が解決しようとする課題】
【０００４】
しかしながら、従来技術においては、フォーカスレンズを、記憶した位置に自動的に移動させる際に、オートフォーカス時におけるフォーカスレンズの移動速度以上の速い速度で移動させるものであるため、たとえば、近景側の被写体に焦点を合わせた状態で動画撮影を開始し、徐々に近景側の被写体の後ろに広がる風景に焦点を合わせていくという撮影手法に適用することができないという問題があった。
【０００５】
この発明が解決しようとする課題は、撮影距離の異なる別の被写体に焦点を合わせる際に、適切な速度で焦点を合わせることができる撮像装置を提供することである。
【課題を解決するための手段】
【０００６】
本発明は、以下の解決手段によって上記課題を解決する。なお、発明の実施形態を示す図面に対応する符号を付して説明するが、この符号は発明の理解を容易にするためだけのものであって発明を限定する趣旨ではない。
【０００７】
［１］本発明に係る撮像装置は、焦点調節レンズ（３２）を含む光学系の焦点調節状態を検出する焦点検出手段（２１２）と、前記焦点検出手段により検出された前記焦点調節状態に基づいて前記焦点調節レンズを第１速度で駆動する制御と、フォーカスプリセット位置まで前記焦点調節レンズを駆動する制御とが可能な制御手段（２１）と、撮影者が前記フォーカスプリセット位置を設定しているときの前記焦点調節レンズの移動位置を移動時間とともに検出する検出手段と、前記検出手段により検出された複数の前記焦点調節レンズの移動位置から前記焦点調節レンズの移動距離を求め、前記焦点調節レンズの移動距離と前記移動時間とに基づいて、前記撮影者が前記フォーカスプリセット位置の設定をしているときの前記焦点調節レンズの速度である第２速度を算出する算出手段（２１）と、前記第２速度を記憶する記憶手段（２３）とを含み、前記制御手段は、前記フォーカスプリセット位置まで前記焦点調節レンズを駆動する制御をするとき、前記記憶手段に記憶された前記第２速度で前記焦点調節レンズを駆動することを特徴とする。
【０００８】
[２]上記撮像装置に係る発明において、前記記憶手段（２３）に記憶された前記第２速度は、前記制御手段（２１）が前記焦点検出手段（２１２）により検出された前記焦点調節状態に基づいて前記焦点調節レンズを駆動する速度である第１速度よりも低速であるように構成することができる。
【０００９】
[３]上記撮像装置に係る発明において、第１モード、又は、第２モードを選択可能な選択手段（２７）を有し、前記記憶手段（２３）は、前記第１速度及び前記第２速度とは異なる第３速度を記憶しており、前記制御手段（２１）は、前記フォーカスプリセット位置まで前記焦点調節レンズを駆動する制御をする場合において、前記選択手段により前記第１モードが選択されているとき前記記憶手段に記憶された前記第２速度で前記焦点調節レンズを駆動し、前記選択手段により前記第２モードが選択されているとき前記記憶手段に記憶された前記第３速度で前記焦点調節レンズを駆動するように構成することができる。
【００１０】
[４]上記撮像装置に係る発明において、前記選択手段（２７）は、第３モードを選択可能であり、前記記憶手段（２３）は、前記フォーカスプリセット位置の近傍において前記フォーカスプリセット位置の近傍以外の位置よりも低速となる、前記第１速度、前記第２速度及び前記第３速度とは異なる第４速度を記憶しており、前記制御手段（２１）は、前記フォーカスプリセット位置まで前記焦点調節レンズを駆動する制御をする場合において、前記選択手段により前記第３モードが選択されているとき前記記憶手段に記憶された前記第４速度で前記焦点調節レンズを駆動するように構成することができる。
【００１１】
[５]上記撮像装置に係る発明において、前記第２速度、前記第３速度及び前記第４速度は、前記第１速度よりも低速であるように構成することができる。
【００１２】
[６]上記撮像装置に係る発明において、前記記憶手段（２３）は、前記第３速度として、遠景側と近景側とで、異なる速度を有するものを記憶しているように構成することができる。
【００１３】
[７]上記撮像装置に係る発明において、前記記憶手段（２３）は、前記第３速度として、撮影光学系が望遠レンズである場合に、前記焦点調節レンズ（３２）を遠景側から近景側に駆動させる際に、遠景側よりも近景側が遅い速度となるような速度を有するものを記憶しているように構成することができる。
【発明の効果】
【００１５】
本発明によれば、撮影距離の異なる別の被写体に焦点を合わせる際に、適切な速度で焦点を合わせることができる撮像装置を提供することができる。
【図面の簡単な説明】
【００１６】
【図１】図１は、本発明の実施形態に係るデジタルカメラを示す要部構成図である。
【図２】図２は、本発明の実施形態に係るデジタルカメラの回路構成を示すブロック図である。
【図３】図３は、本実施形態に係るカメラ１の動作を示すフローチャートである。
【図４】図４は、本実施形態に係る撮影構図例を示す図である。
【図５】図５は、図４に示す撮影構図例において、近景の被写体である花に焦点が合っている状態を示す図である。
【図６】図６は、図４に示す撮影構図例において、遠景の被写体であるヨットに焦点が合っている状態を示す図である。
【図７】図７は、図４に示す撮影構図例において、中景の被写体である人物に焦点が合っている状態を示す図である。
【発明を実施するための形態】
【００１７】
以下、本発明の実施形態を図面に基づいて説明する。
【００１８】
図１は、本発明の実施形態に係るデジタルカメラ１を示す要部構成図である。本実施形態のデジタルカメラ１（以下、単にカメラ１という。）は、カメラ本体２およびレンズ鏡筒３から構成され、これらカメラ本体２とレンズ鏡筒３とはマウント部４により着脱可能に結合されている。
【００１９】
レンズ鏡筒３には、レンズ３１，３２，３３、絞り３５を含む撮影光学系が内蔵されている。
【００２０】
フォーカスレンズ３２は、レンズ鏡筒３の光軸Ｌ１に沿って移動可能に設けられ、エンコーダ３６によってその位置が検出されつつレンズ駆動モータ３７によってその位置が調節される。
【００２１】
このフォーカスレンズ３２の光軸Ｌ１に沿う移動機構の具体的構成は特に限定されない。一例を挙げれば、レンズ鏡筒３に固定された固定筒に回転可能に回転筒を挿入し、この回転筒の内周面にヘリコイド溝（螺旋溝）を形成するとともに、フォーカスレンズ３２を固定するレンズ枠の端部をヘリコイド溝に嵌合させる。そして、レンズ駆動モータ３７によって回転筒を回転させることで、レンズ枠に固定されたフォーカスレンズ３２が光軸Ｌ１に沿って直進移動することになる。なお、レンズ鏡筒３にはフォーカスレンズ３２以外のレンズ３１，３３が設けられているが、ここではフォーカスレンズ３２を例に挙げて本実施形態を説明する。
【００２２】
上述したようにレンズ鏡筒３に対して回転筒を回転させることによりレンズ枠に固定されたフォーカスレンズ３２は光軸Ｌ１方向に直進移動するが、その駆動源としてのレンズ駆動モータ３７がレンズ鏡筒３に設けられている。レンズ駆動モータ３７と回転筒とは、たとえば複数の歯車からなる変速機で連結され、レンズ駆動モータ３７の駆動軸を何れか一方向へ回転駆動すると所定のギヤ比で回転筒に伝達され、そして、回転筒が何れか一方向へ回転することで、レンズ枠に固定されたフォーカスレンズ３２が光軸Ｌ１の何れかの方向へ直進移動することになる。なお、レンズ駆動モータ３７の駆動軸が逆方向に回転駆動すると、変速機を構成する複数の歯車も逆方向に回転し、フォーカスレンズ３２は光軸Ｌ１の逆方向へ直進移動することになる。また、フォーカスレンズ３２は、レンズ駆動モータ３７で駆動する他、レンズ鏡筒３に設けられたフォーカス環（図示省略）を操作することによっても駆動するようになっている。
【００２３】
フォーカスレンズ３２の位置はエンコーダ３６によって検出される。既述したとおり、フォーカスレンズ３２の光軸Ｌ１方向の位置は回転筒の回転角に相関するので、たとえばレンズ鏡筒３に対する回転筒の相対的な回転角を検出すれば求めることができる。
【００２４】
エンコーダ３６としては、回転筒の回転駆動に連結された回転円板の回転をフォトインタラプタなどの光センサで検出して、回転数に応じたパルス信号を出力するものや、固定筒と回転筒の何れか一方に設けられたフレキシブルプリント配線板の表面のエンコーダパターンに、何れか他方に設けられたブラシ接点を接触させ、回転筒の移動量（回転方向でも光軸方向の何れでもよい）に応じた接触位置の変化を検出回路で検出するものなどを用いることができる。
【００２５】
フォーカスレンズ３２は、上述した回転筒の回転によって至近端から無限端までの間を光軸Ｌ１方向に移動することができる。ちなみに、エンコーダ３６で検出されたフォーカスレンズ３２の現在位置情報は、レンズ制御部３８を介して後述するカメラ制御部２１へ送出され、レンズ駆動モータ３７は、この情報に基づいて演算されたフォーカスレンズ３２の駆動位置が、カメラ制御部２１からレンズ制御部３８を介して送出される指令信号により駆動する。
【００２６】
絞り３５は、上記撮影光学系を通過して撮像素子２２に至る光束の光量を制限するとともにボケ量を調整するために、光軸Ｌ１を中心にした開口径が調節可能に構成されている。絞り３５による開口径の調節は、たとえば自動露出モードにおいて演算された適切な開口径が、カメラ制御部２１からレンズ制御部３８を介して送出されることにより行われる。また、カメラ本体２に設けられた操作部２７によるマニュアル操作により、設定された開口径がカメラ制御部２１からレンズ制御部３８に入力される。絞り３５の開口径は図示しない絞り開口センサにより検出され、レンズ制御部３８で現在の開口径が認識される。
【００２７】
一方、カメラ本体２には、上記撮影光学系からの光束を受光する撮像素子２２が、光軸Ｌ１上であって、撮影光学系の予定焦点面に設けられている。撮像素子２２は二次元ＣＣＤイメージセンサ、ＭＯＳセンサまたはＣＩＤなどのデバイスから構成され、受光した光信号をアナログ画像信号に変換する。
【００２８】
そして、撮像素子２２により生成されたアナログ画像信号は、図２に示すように、ＡＦＥ（Analog front end）回路２８を経て、デジタル信号に変換されて、カメラ制御部２１の画像処理部２１１に送信される。図２は、本発明の実施形態に係るデジタルカメラ１の回路構成を示すブロック図である。
【００２９】
ＡＦＥ（Analog front end）回路２８は、撮像素子２２から出力されたアナログ画像信号を受信し、アナログ画像信号に対して、ＩＳＯ感度に応じて信号増幅することにより、ゲイン調整を行う。また、ＡＦＥ回路２８は、Ａ／Ｄ変換器を備えており、Ａ／Ｄ変換器によりゲイン調整後のアナログ画像信号をデジタル画像信号に変換して、カメラ制御部２１の画像処理部２１１に送信する。
【００３０】
カメラ本体２には、撮像素子２２で撮像される像を観察するための観察光学系が設けられている。本例の観察光学系は、液晶表示素子からなる電子ビューファインダ（ＥＶＦ）２５と、これを駆動する液晶駆動回路２４と、接眼レンズ２６とを備えてなる。液晶駆動回路２４は、撮像素子２２で撮像され、カメラ制御部２１の画像処理部２１１に送出された撮影画像情報を読み込み、これに基づいて電子ビューファインダ２５を駆動する。これにより、ユーザは、接眼レンズ２６を通して現在の撮影画像を観察することができる。なお、光軸Ｌ２による上記観察光学系に代えて、又はこれに加えて、液晶ディスプレイをカメラ本体２の背面等に設け、この液晶ディスプレイに撮影画像を表示させることもできる。
【００３１】
カメラ本体２にはカメラ制御部２１が設けられている。カメラ制御部２１は、マウント部４に設けられた電気信号接点部４１によりレンズ制御部３８と電気的に接続され、このレンズ制御部３８からレンズ情報を受信するとともに、レンズ制御部３８へデフォーカス量や絞り開口径などの情報を送信する。
【００３２】
また、本例のカメラ制御部２１は、図２に示すように、画像処理部２１１、焦点状態検出部２１２、レンズ位置記憶部２１３、レンズ駆動速度記憶部２１４、およびレンズ駆動制御部２１５を備えている。
【００３３】
画像処理部２１１は、ＡＦＥ回路２８から送出されたデジタル画像信号に対して各種画像処理を行い、画像処理後の画像信号は、画像信号を記録するためのメモリ２３、観察光学系を駆動するための液晶駆動回路２４に、それぞれ送信される。メモリ２３は、メモリ２３は着脱可能なカード型メモリや内蔵型メモリの何れをも用いることができる。
【００３４】
また、図２に示すように、画像処理部２１１によって画像処理することにより得られた画像信号は、焦点状態検出部２１２にも送信され、焦点状態検出部２１２は、撮像素子２２により得られた画像信号に基づき、光学系の焦点調節状態を検出する。なお、焦点状態検出部２１２による焦点状態の検出方法としては特に限定されないが、本実施形態では、コントラスト検出方式が用いられる。
【００３５】
コントラスト検出方式においては、次のようにして焦点状態の検出が行われる。すなわち、焦点状態検出部２１２は、レンズ制御部３８を介して、レンズ駆動モータ３７を駆動させることで、フォーカスレンズ３２を所定のＡＦ用レンズ駆動速度Ｖ１で移動させながら、所定のサンプリング間隔で、撮像素子２２により得られた画像信号の取得を行なう。そして、焦点状態検出部２１２は、取得した画像信号のうち所定の焦点検出領域（フォーカスエリア）に対応する撮像領域の画像信号から高周波数成分を抽出し、この高周波数成分出力を積算してコントラストの評価値が最大となるフォーカスレンズ位置を検出する。そして、焦点状態検出部２１２は、このようなコントラスト検出方式による焦点状態の検出の結果、コントラストの評価値が最大となるフォーカスレンズ位置を合焦位置として検出し、フォーカスレンズ３２を検出した合焦位置まで、ＡＦ用駆動速度Ｖ１で移動させる。なお、本実施形態においては、ＡＦ用駆動速度Ｖ１としては、コントラスト検出方式において用いられる一般的な速度とすればよく特に限定されないが、オートフォーカス動作をできる限り速く行なうことが望ましいという観点より、コントラストの評価値を良好な精度で検出できる範囲において、できる限り速い速度に設定することが望ましい。
【００３６】
また、カメラ制御部２１のレンズ位置記憶部２１３、レンズ駆動速度記憶部２１４およびレンズ駆動制御部２１５は、本実施形態に係るフォーカスプリセット動作を実行するために、以下に説明する動作を行なう。ここで、フォーカスプリセット動作とは、まず、ユーザの操作に応じて、予めフォーカスレンズ３２を移動させるための位置であるフォーカスプリセット位置、およびフォーカスレンズ３２をフォーカスプリセット位置まで移動させるための速度であるプリセット用駆動速度Ｖ２を設定する。そして、ユーザによって、フォーカスプリセット位置までフォーカスレンズ３２を移動させるための操作がされた場合に、フォーカスレンズ３２を予め設定したフォーカスプリセット位置まで、プリセット用駆動速度Ｖ２で移動させる動作である。
【００３７】
そして、本実施形態に係るフォーカスプリセット動作を実行するために、レンズ位置記憶部２１３は、次の動作を行なう。すなわち、レンズ位置記憶部２１３は、エンコーダ３６により検出されたフォーカスレンズ３２の位置を、レンズ制御部３８を介して受信するとともに、ユーザにより、操作部２７を介して、フォーカスプリセット位置を設定するための操作が行なわれた場合に、該操作が行なわれたときのフォーカスレンズ３２の移動位置を、経過時間とともに記憶する。加えて、レンズ位置記憶部２１３は、ユーザにより、操作部２７を介して、現在のフォーカスレンズ３２のレンズ位置をフォーカスプリセット位置として記憶するための操作が行なわれた場合には、該レンズ位置をフォーカスプリセット位置として記憶する。なお、レンズ鏡筒３として、インナーフォーカスタイプのレンズを有するものを用いる場合には、レンズ位置記憶部２１３は、フォーカスプリセット位置を記憶する際に、従来公知の方法に従って、ズームレンズの位置を考慮して、フォーカスプリセット位置を決定し、これを記憶する構成とすることが望ましい。
【００３８】
また、レンズ駆動速度記憶部２１４は、レンズ位置記憶部２１３から、フォーカスプリセット位置を設定するための操作が行なわれた際のフォーカスレンズ３２の移動位置を経過時間のデータとともに受信する。そして、レンズ駆動速度記憶部２１４は、フォーカスプリセット位置を設定するための操作が行なわれた際のフォーカスレンズ３２の駆動速度を算出し、算出したフォーカスレンズ３２の駆動速度を記憶する。
【００３９】
レンズ駆動制御部２１５は、ユーザにより、操作部２７を介して、フォーカスレンズ３２をフォーカスプリセット位置まで移動させる操作が行なわれた場合に、ユーザによる操作に応じて、レンズ制御部３６を介して、レンズ駆動モータ３７を駆動させることで、フォーカスレンズ３２をレンズ位置記憶部２１３に記憶されたフォーカスプリセット位置まで、プリセット用駆動速度Ｖ２で移動させる。なお、プリセット用駆動速度Ｖ２の設定方法については、後述する。
【００４０】
操作部２７は、シャッターレリーズボタンやユーザがカメラ１の各種動作モードを設定するための入力スイッチであり、静止画モード／動画モードの切換などが行えるようになっている。この操作部２７により設定された各種モードはカメラ制御部２１へ送出され、当該カメラ制御部２１によりカメラ１全体の動作が制御される。
【００４１】
また、操作部２７は、上記に加えて、フォーカスプリセット動作を行なうための操作スイッチを備えている。具体的には、フォーカスプリセット位置を設定するための操作を開始するためのスイッチＳＷＡ、現在のフォーカスレンズ３２の位置をフォーカスプリセット位置として設定するためのスイッチＳＷＢ、フォーカスレンズ３２をフォーカスプリセット位置まで移動させるためのスイッチＳＷＣ、およびフォーカスレンズ３２をフォーカスプリセット位置まで移動させる際の速度であるプリセット用駆動速度Ｖ２を設定するためのスイッチＳＷＤを備えている。
【００４２】
ここで、スイッチＳＷＤを用いて、本実施形態におけるプリセット用駆動速度Ｖ２を設定する方法としては、以下に説明する「速度固定モード」、「記録速度モード」および「速度可変モード」が挙げられ、ユーザは、スイッチＳＷＤを操作することにより、これら各モードを選択することができる。
【００４３】
まず、第１に、「速度固定モード」においては、ユーザは、スイッチＳＷＤによる操作を行なうことで、レンズ駆動制御部２１５に記憶された予め設定された速度の中から所望の速度を選択し、選択された速度が、プリセット用駆動速度Ｖ２として設定される。なお、予め設定された速度としては、たとえば、「低速度」、「中速度」、「高速度」の３種類の速度を設定しておき、これらの中から選択できるような態様とすればよい。
【００４４】
次いで、第２に、「記録速度モード」においては、レンズ駆動速度記憶部２１４に記憶されたフォーカスプリセット位置を設定する動作を行なった際におけるフォーカスレンズ３２の駆動速度が、プリセット用駆動速度Ｖ２として設定される。
【００４５】
さらに、第３に、「速度可変モード」においては、まず、ユーザは、スイッチＳＷＤによる操作を行なうことで、上述した「速度固定モード」と同様に予め設定された速度の中から所望の速度を選択する。そして、ユーザにより、さらに「速度可変モード」が選択されることにより、フォーカスレンズ３２の駆動速度を、当初は選択された速度とされる一方で、フォーカスプリセット位置近傍においては、フォーカスレンズ３２の駆動速度が遅くなるように変化させるような速度が、プリセット用駆動速度Ｖ２として設定される。
【００４６】
本実施形態では、スイッチＳＷＤによる操作を介して、ユーザの選択により、上述した「速度固定モード」、「記録速度モード」および「速度可変モード」が選択できるようになっているが、これらの方法に特に限定されるものではない。ただし、本実施形態においては、プリセット用駆動速度Ｖ２は、上述のＡＦ用駆動速度Ｖ１よりも遅い速度（Ｖ２＜Ｖ１）とする。
【００４７】
次に、本実施形態に係るカメラ１の動作例を説明する。図３は、本実施形態に係るカメラ１の動作を示すフローチャートである。以下においては、本実施形態に係るカメラ１におけるフォーカスプリセット位置設定処理について説明する。
【００４８】
まず、ステップＳ１では、カメラ制御部２１により、ユーザによってフォーカスプリセット位置を設定するための操作を開始するためのスイッチＳＷＡがオンされたかどうかの判断が行なわれる。スイッチＳＷＡがオンされた場合には、ステップＳ２に進み、一方、スイッチＳＷＡがオンしていない場合にはステップＳ１で待機する。
【００４９】
ステップＳ２では、カメラ制御部２１のレンズ位置記憶部２１３は、レンズ制御部３８を介して、エンコーダ３６により検出されたフォーカスレンズ３２の位置の受信を行う。そして、レンズ位置記憶部２１３は、ユーザがレンズ鏡筒３に備えられたフォーカス環（図示省略）を操作することにより移動させられたフォーカスレンズ３２の位置を経過時間とともに記憶する。
【００５０】
ステップＳ３では、カメラ制御部２１により、ユーザによって現在のフォーカスレンズ３２の位置をフォーカスプリセット位置として設定するためのスイッチＳＷＢがオンされたかどうかの判断が行なわれる。スイッチＳＷＢがオンされた場合には、ステップＳ４に進む。一方、スイッチＳＷＢがオンしていない場合にはステップＳ２〜Ｓ３を繰り返すことで、レンズ位置記憶部２１３は、ユーザがフォーカス環を操作することにより移動させられたフォーカスレンズ３２の位置を経過時間とともに記憶する動作を継続する。
【００５１】
ステップＳ４では、カメラ制御部２１のレンズ位置記憶部２１３は、現在のフォーカスレンズ３２の位置を、フォーカスプリセット位置として記憶する。
【００５２】
ステップＳ５では、レンズ駆動速度記憶部２１４が、レンズ位置記憶部２１３から、フォーカスプリセット位置を設定するための操作が行なわれた際のフォーカスレンズ３２の移動位置を経過時間のデータとともに受信する。そして、レンズ駆動速度記憶部２１４は、受信したフォーカスレンズ位置および経過時間のデータに基づいて、フォーカスプリセット位置を設定するための操作が行なわれた際のフォーカスレンズの駆動速度を算出し、これを記憶する。
【００５３】
ここで、図４は、本実施形態に係る撮影構図例を示す図であり、近景の被写体としての花と、遠景の被写体としてのヨットとが同時に存在するような場面を示している。
【００５４】
たとえば、図４に示す構図例において、スイッチＳＷＡがオンされ（ステップＳ１）、図５に示すように、近景の被写体である花に焦点が合っている状態から、ユーザがフォーカス環を操作することにより、所定の速度で、図６に示すように、遠景の被写体であるヨットに焦点が合っている状態とされ、この状態においてスイッチＳＷＢがオンされた場合（ステップＳ３）には、次のように動作することとなる。すなわち、カメラ制御部２１のレンズ位置記憶部２１３は、図５に示す状態から図６に示す状態までのフォーカスレンズ３２のレンズ位置を、経過時間とともに記憶する（ステップＳ２）とともに、図６に示す状態（すなわち、遠景の被写体であるヨット焦点があっている状態）におけるフォーカスレンズ３２のレンズ位置を、フォーカスプリセット位置として記憶する。また、カメラ制御部２１のレンズ駆動速度記憶部２１４は、図５に示す状態から図６に示す状態までのフォーカスレンズ３２のレンズ位置および経過時間に基づき、フォーカスレンズ３２の駆動速度を算出し、該速度を記憶する。なお、図５は、図４に示す撮影構図例において、近景の被写体である花に焦点が合っている状態を示す図であり、図６は、図４に示す撮影構図例において、遠景の被写体であるヨットに焦点が合っている状態を示す図である。
【００５５】
また、レンズ駆動速度記憶部２１４により算出されるフォーカスレンズ３２の駆動速度は、フォーカスレンズ３２の実際の駆動速度に基づくものであり、たとえば、フォーカスレンズ３２が、図６に示す状態に近づくにしたがって徐々に遅くなるように駆動した場合には、算出される速度もそれに従ったものとなる。
【００５６】
ステップＳ６では、カメラ制御部２１により、ユーザによって操作部２７を介して、プリセット用駆動速度Ｖ２を設定するためのスイッチＳＷＤにより選択されたプリセット用駆動速度Ｖ２の設定モードの情報の取得が行なわれる。そして、ユーザにより、予め設定された速度（たとえば、「低速度」、「中速度」、「高速度」の３種類の速度）の中から所望の速度が選択された場合、すなわち、「速度固定モード」または「速度可変モード」が選択された場合には、ステップＳ７に進む。一方、ユーザにより、「記録速度モード」が選択された場合には、ステップＳ１０に進む。
【００５７】
ステップＳ７では、ユーザにより、「速度可変モード」が選択されたかどうかの判定が行なわれる。「速度可変モード」が選択された場合には、ステップＳ８に進み、プリセット用駆動速度Ｖ２を、ステップＳ６で設定された速度とし、かつ、「速度可変モード」に設定される。一方、「速度可変モード」の選択が行なわれなかった場合には、ステップＳ９に進み、プリセット用駆動速度Ｖ２を、ステップＳ６で設定された速度とし、かつ、「速度固定モード」に設定される。たとえば、ステップＳ６において、「高速度」が選択され、かつ、「速度可変モード」の選択が行なわれている場合には、ステップＳ８に進み、プリセット用駆動速度Ｖ２は、「高速度」とされ、かつ、「速度可変モード」とされる。
【００５８】
一方、ステップＳ６において、ユーザにより、「記録速度モード」が選択された場合には、ステップＳ１０に進み、ステップＳ５で算出および記憶されたフォーカスレンズ３２の駆動速度が、プリセット用駆動速度Ｖ２として設定される。
【００５９】
以上のようにして、本実施形態に係るフォーカスプリセット位置設定処理は行なわれる。
【００６０】
そして、カメラ１の撮影モードが「動画モード」に設定され、動画撮影が行なわれている場合に、ユーザにより、フォーカスレンズ３２をフォーカスプリセット位置まで移動させるためのスイッチＳＷＣがオンされると、カメラ制御部２１のレンズ駆動制御部２１５は、フォーカスレンズ２１３を、上述のステップＳ８〜Ｓ１０のいずれかで設定されたプリセット用駆動速度Ｖ２で、上述のステップＳ４においてレンズ位置記憶部２１３により記憶したフォーカスプリセット位置まで駆動させることで、フォーカスプリセット位置移動処理が行なわれる。
【００６１】
たとえば、図４に示す構図例において、図５に示すように、近景の被写体である花に焦点が合っている場合に、ユーザにより、スイッチＳＷＣがオンされると、フォーカスレンズ２１３が、上述のステップＳ８〜Ｓ１０のいずれかで設定されたプリセット用駆動速度Ｖ２で移動して、図６に示すように、遠景の被写体であるヨットに焦点が合っている状態とすることができる。すなわち、ＡＦ用レンズ駆動速度Ｖ１よりも遅いプリセット用駆動速度Ｖ２でフォーカスレンズ３２を移動させることで、ユーザにより設定された所望の速度および時間で、撮影画像を、図５に示す状態から図６に示す状態へと変化させることができる。
【００６２】
本実施形態によれば、フォーカスレンズ３２を設定したフォーカスプリセット位置まで移動させる際の速度を、オートフォーカス時のフォーカスレンズ３２の駆動速度であるＡＦ用レンズ駆動速度Ｖ１よりも遅いプリセット用駆動速度Ｖ２とするため、動画撮影において、ある被写体から、撮影距離の異なる別の被写体に焦点を合わせる際に、適切な速度で焦点を合わせることが可能となる。特に、フォーカスレンズ３２を設定したフォーカスプリセット位置まで移動させる際の速度を、オートフォーカス時のフォーカスレンズ３２の駆動速度であるＡＦ用レンズ駆動速度Ｖ１と同程度あるいはこれよりも速いものとした場合には、たとえば、近景の被写体に焦点を合わせた状態で動画撮影を開始し、徐々に近景側の被写体の後ろに広がる風景に焦点を合わせていくという撮影手法に適用し難いという問題があるのに対し、本実施形態は、このような問題を有効に解決するものである。さらに、本実施形態によれば、フォーカスレンズ３２を設定したフォーカスプリセット位置まで移動させる際の速度を、予め選択されたプリセット用駆動速度Ｖ２とするため、動画撮影において、ある被写体から、撮影距離の異なる別の被写体に焦点を合わせる際に、ユーザの技量によらずに、適切に撮影を行なうことができる。
【００６３】
また、本実施形態によれば、ユーザの操作に応じて、予め撮影距離に応じたフォーカスレンズ３２のレンズ位置を、フォーカスプリセット位置として設定し、フォーカスレンズ３２を設定したフォーカスプリセット位置まで自動的に移動させるものであるため、オートフォーカスによる場合と比較して、より厳密に目的の被写体に焦点を合わせることが可能となる。
【００６４】
なお、以上説明した実施形態は、上記発明の理解を容易にするために記載されたものであって、上記発明を限定するために記載されたものではない。したがって、上記の実施形態に開示された各要素は、上記発明の技術的範囲に属する全ての設計変更や均等物をも含む趣旨である。
【００６５】
たとえば、上述した実施形態では、フォーカスプリセット位置を一つ設定する例を挙げて説明を行なったが、フォーカスプリセット位置を二つ以上設定するような構成としてもよい。この場合において、たとえば、図４に示す構図例において、上述の実施形態と同様に、図５に示す状態から、ユーザがフォーカス環を操作することにより、所定の速度で、図６に示す状態とされ、この状態でフォーカスプリセット位置（「第１のフォーカスプリセット位置」とする。）を設定し、次いで、ユーザがカメラ１を水平方向に振りながら、フォーカス環を操作することにより、図７に示すように、人物に焦点を合わせた状態とし、この状態で、さらに、フォーカスプリセット位置（「第２のフォーカスプリセット位置」とする。）を設定できるような構成とすることができる。なお、図７は、図４に示す撮影構図例において、中景の被写体である人物に焦点が合っている状態を示す図であり、中景の被写体である人物は、近景の被写体である花と、遠景の被写体であるヨットとの間に位置している。
【００６６】
そして、この場合において、図５に示すように、近景の被写体である花に焦点が合っている場合に、ユーザが、フォーカスレンズ３２をフォーカスプリセット位置まで移動させるためのスイッチＳＷＣをオンさせると、フォーカスレンズ２１３が、プリセット用駆動速度Ｖ２で移動して、図６に示すように、遠景の被写体であるヨットに焦点が合っている状態とすることができる。そして、さらに、ユーザがカメラ１を水平方向に振りながら、スイッチＳＷＣをオンさせると、フォーカスレンズ２１３が、プリセット用駆動速度Ｖ２で移動して、図７に示すように、中景の被写体である人物に焦点が合っている状態とすることができる。
【００６７】
なお、この場合において、スイッチＳＷＣは、第１のフォーカスプリセット位置と第２のフォーカスプリセット位置とを切り替える切替スイッチとしても動作することとなる。さらに、フォーカスレンズ３２を、第１のフォーカスプリセット位置まで移動せせる速度と、第２のフォーカスプリセット位置まで移動せせる速度とは、同じとしてもよいし、あるいは異なるものとすることもできる。
【００６８】
また、上述した実施形態では、レンズ鏡筒３に設けられたフォーカス環を用いてマニュアルフォーカスにより、フォーカスプリセット位置を設定する方法を例示したが、カメラ制御部２１の焦点状態検出部２１２を用いたオートフォーカスにより、フォーカスプリセット位置を設定してもよい。
【００６９】
さらに、上述した実施形態では、プリセット用駆動速度Ｖ２を設定する際に、ユーザの選択により、「速度固定モード」、「記録速度モード」および「速度可変モード」のいずれかを選択するような態様を例示したが、プリセット用駆動速度Ｖ２を、レンズ鏡筒３のレンズ種に応じて、レンズ種に適したものとしてもよい。具体的には、レンズ鏡筒３が望遠レンズである場合には、プリセット用駆動速度Ｖ２を遠景側よりも近景側が遅い速度となるように設定するような構成とし、また、レンズ鏡筒３が長焦点マイクロレンズである場合には、プリセット用駆動速度Ｖ２を遠景側よりも近景側が遅い速度となるように設定するような構成とすることができる。
【符号の説明】
【００７０】
１…デジタルカメラ
２…カメラ本体
２１…カメラ制御部
２１１…画像処理部
２１２…焦点状態検出部
２１３…レンズ位置記憶部
２１４…レンズ駆動速度記憶部
２１５…レンズ駆動制御部
２…操作部
３…レンズ鏡筒
３２…フォーカスレンズ
３６…エンコーダ
３７…レンズ駆動モータ
３８…レンズ制御部
【図１】
0005504716.tif 000002
【図２】
0005504716.tif 000003
【図３】
0005504716.tif 000004
【図４】
0005504716.tif 000005
【図５】
0005504716.tif 000006
【図６】
0005504716.tif 000007
【図７】
0005504716.tif 000008